(57)【要約】【課題】雨の日や荷物の多いとき等に、容易に荷物を肩から掛けることができ、両手が使えるようにできる肩掛けベルトを提供する。【解決手段】リング状のベルト１０と、このベルト１０に装着されて、荷物を掛けることができる係合部材（スプリングフック２０）とを有する。例えば複数の手提げ袋をまとめて係合部材に掛け、ベルトを肩からかけることで、容易に複数の荷物をまとめて肩掛け状態に持つことができる。それにより、両手を自由に使えるようにできる。【選択図】  図２
2004248764.tif 000002
【特許請求の範囲】
【請求項１】
リング状のベルトと、
このベルトに装着されて、荷物を掛けることができる係合部材とを有することを特徴とする肩掛けベルト。
【請求項２】
前記ベルトが長さ調整自在に構成されていることを特徴とする請求項１に記載の肩掛けベルト。
【請求項３】
前記係合部材がスプリングフックであることを特徴とする請求項１に記載の肩掛けベルト。
【発明の詳細な説明】
【０００１】
【発明の属する技術分野】
本発明は、肩掛けベルトに関するものである。特に、複数の荷物をまとめて肩から掛けることができる肩掛けベルトに関するものである。
【０００２】
【従来の技術】
肩掛けベルトの一つとして、いわゆるショルダーバッグの肩掛けベルトが知られている（例えば特許文献１）。この肩掛けベルトは、帯状のベルトの両端部に、それぞれスプリングフックなどの係合部材を有し、バッグの両側に設けられた掛け金具に係合部材を係合することで、手提げバッグをショルダーバッグとしても利用できるようにするものである。
【０００３】
【特許文献１】登録実用新案第３０５８３７８号公報  図４
【０００４】
【発明が解決しようとする課題】
しかし、上記の肩掛けベルトには次のような問題があった。
▲１▼掛け金具のない手提げバッグをショルダーバッグとして保持することが難しい。
従来の肩掛けベルトは、掛け金具が取り付けられた手提げバッグをショルダーバッグとしても利用できるようにすることが目的であり、掛け金具のない手提げバッグを肩掛け状態に持つことが難しい。
【０００５】
▲２▼上記の肩掛けベルトで手提げバッグを肩掛け状に保持することを考えた場合、手提げバッグを肩掛けバンドから取り外す際、肩から同バンドが外れてしまう。
手提げバッグの手提げ用取っ手に上記肩掛けベルトを通し、両係合部材同士を掛け合うことで肩掛けベルトをリング状に形成し、このリング状肩掛けベルトを肩から掛けることにより掛け金具のない手提げバッグをショルダーバッグのように保持することが考えられる。しかし、この構成では、係合部材同士の掛け合いにより肩掛けベルトをリング状に形成するため、同ベルトから手提げバッグを取り外す際に両係合部材の掛け合いを外すと、ベルトがリング状ではなくなり肩から外れてしまう。特に、複数の手提げバッグをまとめて肩掛けベルトで保持していた場合、一部の手提げバッグのみ肩掛けバンドから取り外そうとしても全ての手提げバッグが肩掛けベルトから外れることになる。そのため、両手が自由に使える状態にすることが難しい。
【０００６】
▲３▼複数の係合部材が必要である。
帯状のベルトの両端部に係合部材を設ける必要上、必ず複数の係合部材が必要になり、部品点数の増加を招く。
【０００７】
従って、本発明の主目的は、容易に荷物を肩から掛けることができ、両手が使えるようにできる肩掛けベルトを提供することにある。
【０００８】
【課題を解決するための手段】
本発明肩掛けベルトは、リング状のベルトと、このベルトに装着されて、荷物を掛けることができる係合部材とを有することを特徴とする。
【０００９】
このような肩掛けベルトの係合部材に手提げバッグなどの荷物を掛け、リング状に形成されたベルトを肩から掛けることで、掛け金具のない手提げバッグなどでも容易に肩掛け状態に保持することができる。
【００１０】
また、ベルトがリング状であるため係合部材に荷物を掛け外しする際にもベルトが肩から外れることがない。そのため、特に複数の荷物をまとめて肩掛け状態に保持することが容易にできる。
【００１１】
以下、本発明をより詳しく説明する。
【００１２】
ベルトは、リング状に形成された帯状のものを用いる。このベルトは、人が肩から提げて荷物を保持するのに十分な程度の強度を有し、一般的な体格の人が肩に掛けることができる程度の長さを有するものとする。
【００１３】
このベルトは、長さ調整自在に構成することが好ましい。長さ調整には、公知の長さ調整具を用いればよい。ベルトを長さ調整自在とすることで、様々な体格の人でも適切な長さにして本発明肩掛けベルトを利用することができる。
【００１４】
さらに、ベルトには、そのベルトよりも幅の広い肩当てパッドを取り付けることが好ましい。肩当てパッドを設けることで、ベルトが肩に食い込むことを緩和できる。肩当てパッドは、クッション性のある材料で構成することが好ましい。
【００１５】
係合部材は、荷物を掛けられるものであれば、特に構成は問わない。例えば、スプリングフックやカラビナなどが利用できる。この係合部材は、リング状のベルトの途中に設ければよい。係合部材自体がベルトの長手方向沿いにスライドできるように装着しても良い。係合部材の数は複数設けることも可能であるが、通常、一つ設ければ十分である。係合部材を一つとすることで部品点数の少数化を図ることができる。
【００１６】
本発明肩掛けベルトを用いて保持する荷物は、係合部材が掛けられるものであれば特に限定されない。好適には手提げバッグ、手提げ袋など、手提げ用取っ手のついたものが挙げられる。その他、携帯電話、カメラ、デジタルカメラ、折りたたみ傘など種々のものが考えられる。
【００１７】
【発明の実施の形態】
以下、本発明の実施の形態を説明する。
（構成）
図１は本発明肩掛けベルトの斜視図である。この肩掛けベルトは、リング状に形成されたベルト１０と、このベルト１０の途中に設けられたスプリングフック２０と、ベルトの長さ調整具３０とを具えている。
【００１８】
ベルト１０は、帯状体１１の両端部を、ロの字型金具１２を介してつなぎ、リング状に構成したものである。
【００１９】
帯状体１１の一端部は折り返してロの字型金具１２の一辺に巻きつけ、折り返し端を縫い合わせることでロの字型金具１２と結合している。このロの字型金具１２には一つのスプリングフック２０が回転自在に取り付けられている。スプリングフック２０は、手提げバッグの手提げ用取っ手などを掛けるためのものである。このフック２０は、ほぼＣ字状のＣ型本体部２１と、本体部２１の端部に所定の角度で回動自在に取り付けられて本体部２１の開口部を開閉する開閉片２２とを有する。開閉片２２は、図示しないばねにより、常時は本体部２１の開口部を閉じる方向に付勢されている。
【００２０】
一方、帯状体１１の他端部は、折り返してロの字型金具１２の内側を通り、帯状体１１の途中に設けられた長さ調整具３０に取り付けられている。長さ調整具３０は、互いに平行な第一辺３１と第二辺３２との間に中間辺３３を有するほぼ「日」の字型の金具である。帯状体１１の中間部は、第一辺３１と中間辺３３との間の隙間を下から上に通され、中間辺３３と第二辺３２との隙間を上から下に通されて、ロの字型金具１２へと通されている。そして、帯状体１１の他端部を折り返して長さ調整具３０の中間辺３３に巻きつけ、折り返し端を縫い合わせることで長さ調整具３０と結合している。
【００２１】
（利用方法）
上記の肩掛けベルトは図２に示すように用いる。このように利用することで、特に複数の手提げバッグなどをまとめて肩掛け状態に保持し、両手を自由に使うことができる。
【００２２】
▲１▼長さ調整具に対して帯状体１１の通し量を可変して利用者の体格に合った長さにリング状のベルト１０を調整する。
【００２３】
▲２▼リング状のベルト１０を肩からたすき掛けにする。
【００２４】
▲３▼スプリングフック２０の開閉片２２をばねの反発力に抗して回動させ、本体部２１の開口部から手提げバッグ４０などの手提げ用取っ手４１を掛ける。
【００２５】
▲４▼手提げバッグなどが複数ある場合には、同様にしてまとめてフック２０に手提げ用取っ手を掛ける。
【００２６】
【発明の効果】
以上説明したように、本発明肩掛けベルトによれば、係合部材に手提げバッグなどの荷物を掛け、リング状に形成されたベルトを肩から掛けることで、掛け金具のない手提げバッグなどでも容易に肩掛け状態に保持することができる。
【００２７】
また、ベルトがリング状であるため係合部材に荷物を掛け外しする際にもベルトが肩から外れることがない。そのため、特に複数の荷物をまとめて肩掛け状態に保持することが容易にできる。
【図面の簡単な説明】
【図１】本発明肩掛けベルトの斜視図である。
【図２】本発明ベルトの使用状態を示す説明図である。
【符号の説明】
１０    ベルト
１１    帯状体
１２    ロの字型金具
２０    スプリングフック
２１    Ｃ型本体部
２２    開閉片
３０    長さ調整具
３１    第一辺
３２    第二辺
３３    中間辺
４０    手提げバッグ
４１    手提げ用取っ手
【図１】
2004248764.tif 000003
【図２】
2004248764.tif 000004